(57)【要約】      （修正有）【課題】ユーザグループ内のユーザに制御情報を送信する無線通信システムを提供する。【解決手段】ユーザグループ内の各ユーザのチャネル品質に基づいて、ユーザグループのリンク適応方法を決定し１０２、ユーザグループ内の全ユーザに共通な制御情報と、前記ユーザグループに対応するリンク適応方法とに基づいて、第１制御情報を生成し１０３、該ユーザグループ内の各ユーザに送信し１０４、ユーザグループ内の各ユーザ個別の制御情報に基づいて、第２制御情報の内容を得１０５、ユーザグループに対応するリンク適応方法に基づいて、前記第２制御情報の内容に対してリンク適応処理を行い、第２制御情報を生成して、該ユーザグループ内の各ユーザに送信する１０６。【選択図】図１
2014176091.tif 000002
【特許請求の範囲】
【請求項１】
無線通信システムにおける制御情報の送信方法であって、
予め各ユーザグループに対して、それぞれ１つのグループ識別子を割り当て、各グループ識別子に対応する検索空間をそれぞれ決定し、
ユーザグループ内の各ユーザのチャネル品質に基づいて、前記ユーザグループのリンク適応方法を決定し、
前記ユーザグループ内の全ユーザに共通な制御情報と、前記ユーザグループに対応するリンク適応方法とに基づいて、第１制御情報の内容を生成し、
前記第１制御情報の内容に対して巡回冗長検査を行って、第１制御情報を生成してから、該ユーザグループ内の各ユーザに送信し、
前記ユーザグループ内の各ユーザ個別の制御情報に対して巡回冗長検査を行って、第２制御情報の内容を得、
前記ユーザグループに対応するリンク適応方法に基づいて、前記第２制御情報の内容に対してリンク適応処理を行って、第２制御情報を生成して、該ユーザグループ内の各ユーザに送信する、ことを含むことを特徴とする方法。
【請求項２】
ユーザグループ内の各ユーザのチャネル品質に基づいて、前記ユーザグループのリンク適応方法を決定することは、
ユーザグループ内の各ユーザのチャネル品質に基づいて、各ユーザに対応する制御情報のリンク適応処理時に導入するビットレートをそれぞれ決定し、
決定された各ユーザに対応する制御情報のリンク適応処理時に導入するビットレートに基づいて、適当なパラメータを選択して、前記ユーザグループに対応するリンク適応方法パラメータとする、ことを含むことを特徴とする請求項１に記載の方法。
【請求項３】
前記リンク適応方法は、レートマッチングのビットレートを調整することを含み、前記リンク適応処理は、レートマッチング処理を含み、前記リンク適応方法パラメータは、レートマッチングパラメータを含む、ことを特徴とする請求項２に記載の方法。
【請求項４】
前記リンク適応方法は、チャネル符号化のビットレートを調整することを含み、前記リンク適応処理は、チャネル符号化処理を含み、前記リンク適応方法パラメータは、チャネル符号化のビットレートパラメータを含む、ことを特徴とする請求項２に記載の方法。
【請求項５】
前記ユーザグループ内の全ユーザに共通な制御情報は、少なくとも、リソース割当情報と、データ伝送の多重次数情報と、を含むことを特徴とする請求項１に記載の方法。
【請求項６】
前記第１制御情報は、少なくとも、リソース割当フィールドと、多重次数フィールドと、リンク適応方法フィールドと、を含み、ここで、リソース割当フィールドは、単独のビットでリソース割当情報を表し、多重次数フィールドは、単独のビットでデータ伝送の多重次数情報を表し、リンク適応方法フィールドは、単独のビットでユーザグループのリンク適応方法情報を表す、ことを特徴とする請求項５に記載の方法。
【請求項７】
前記第１制御情報は、少なくとも、１つのデータフィールドを含み、前記データフィールドのビットは、リソース割当情報、データ伝送の多重次数情報、およびユーザグループのリンク適応方法情報のうちの少なくとも２種を同時に表す、ことを特徴とする請求項５に記載の方法。
【請求項８】
前記第１制御情報の内容に対して巡回冗長検査を行った後に、前記ユーザグループのグループ識別子を利用して、巡回冗長検査により生成された巡回冗長検査コードをスクランブリングする、
ことをさらに含むことを特徴とする請求項１に記載の方法。
【請求項９】
前記ユーザグループ内の各ユーザ個別の制御情報に対して巡回冗長検査を行うことは、
各制御情報に対し入れ子状に巡回冗長検査を適用する方式または各制御情報に対し独立に巡回冗長検査を適用する方式を用いて、前記ユーザグループ内の各ユーザ個別の制御情報に対して巡回冗長検査を行う、ことを含むことを特徴とする請求項１に記載の方法。
【請求項１０】
前記ユーザグループ内の各ユーザのユーザ識別子を利用して、巡回冗長検査により生成された巡回冗長検査コードをスクランブリングする、ことをさらに含むことを特徴とする請求項９に記載の方法。
【請求項１１】
無線通信システムにおける制御情報の受信方法であって、
自局の属するユーザグループのグループ識別子に対応する検索空間からデマッピングして、候補第１制御情報を得、
前記候補第１制御情報に対してブラインド検出を行って、基地局から送信された第１制御情報を得、自局の属するユーザグループ内の全ユーザに共通な制御情報と、自局の属するユーザグループに対応するリンク適応方法とを決定し、
自局の属するユーザグループのグループ識別子に対応する検索空間からデマッピングして、候補第２制御情報を得、
自局の属するユーザグループ内の全ユーザに共通な制御情報と、自局の属するユーザグループに対応するリンク適応方法とに基づいて、前記候補第２制御情報に対してブラインド検出を行って、自局個別の制御情報、または、自局個別およびほかのユーザ個別の制御情報を得る、ことを含むことを特徴とする方法。
【請求項１２】
前記自局の属するユーザグループ内の全ユーザに共通な制御情報と、自局の属するユーザグループに対応するリンク適応方法とに基づいて、前記候補第２制御情報に対してブラインド検出を行うことは、
自局の属するユーザグループ内の全ユーザに共通な制御情報に基づいて、前記候補第２制御情報を復調し、自局の属するユーザグループに対応するリンク適応方法に基づいて、復調されたデータに対してレートデマッチング、チャネル復号および巡回冗長検査を行う、ことを含むことを特徴とする請求項１１に記載の方法。
【請求項１３】
基地局が各制御情報に対し入れ子状に巡回冗長検査を適用する方式を用いて、前記ユーザグループ内の各ユーザ個別の制御情報に対して巡回冗長検査を行う場合、
ユーザは巡回冗長検査の内から外への順で巡回冗長検査を行い、
巡回冗長検査の結果が正しいとき、ユーザは、復号を停止して、この巡回冗長検査までのすべての各ユーザ個別の制御情報を出力し、巡回冗長検査の結果が正しくないとき、ユーザは、次の巡回冗長検査まで復号を続け、巡回冗長検査がいずれも正しくないとき、ユーザは、自局がスケジューリングされていないと決定する、ことを特徴とする請求項１２に記載の方法。
【請求項１４】
基地局が各制御情報に対し独立に巡回冗長検査を適用する方式を用いて、前記ユーザグループ内の各ユーザ個別の制御情報に対して巡回冗長検査を行う場合、
ユーザは、各ユーザ個別の制御情報に対して独立に巡回冗長検査を行い、
巡回冗長検査の結果が正しいものがあるとき、相応のユーザ個別の制御情報を取得し、巡回冗長検査の結果が正しいものがないとき、ユーザは、自局がスケジューリングされていないと決定する、ことを特徴とする請求項１２に記載の方法。
【請求項１５】
基地局であって、
予め各ユーザグループに対して、それぞれ１つのグループ識別子を割り当て、各グループ識別子に対応する検索空間をそれぞれ決定する配置手段と、
ユーザグループ内の各ユーザのチャネル品質に基づいて、前記ユーザグループのリンク適応方法を決定するリンク適応方法決定手段と、
前記ユーザグループ内の全ユーザに共通な制御情報と、前記ユーザグループに対応するリンク適応方法とに基づいて、第１制御情報の内容を生成し、前記第１制御情報の内容に対して巡回冗長検査を行って、第１制御情報を生成してから、該ユーザグループ内の各ユーザに送信する第１制御情報送信手段と、
前記ユーザグループ内の各ユーザ個別の制御情報に対して巡回冗長検査を行って、第２制御情報の内容を得、前記ユーザグループに対応するリンク適応方法に基づいて、前記第２制御情報の内容に対してリンク適応処理を行って、第２制御情報を生成して、該ユーザグループ内の各ユーザに送信する第２制御情報送信手段と、を含むことを特徴とする基地局。
【請求項１６】
前記リンク適応方法決定手段は、
ユーザグループ内の各ユーザのチャネル品質に基づいて、各ユーザに対応する制御情報のリンク適応処理時に導入するビットレートをそれぞれ決定する第１モジュールと、
決定された各ユーザに対応する制御情報のリンク適応処理時に導入するビットレートに基づいて、適当なパラメータを選択して、前記ユーザグループに対応するリンク適応方法パラメータとする第２モジュールと、を含む請求項１５に記載の基地局。
【請求項１７】
前記第１制御情報送信手段は、前記第１制御情報の内容に対して巡回冗長検査を行った後に、さらに、前記ユーザグループのグループ識別子を利用して、巡回冗長検査により生成された巡回冗長検査コードをスクランブリングする、請求項１５に記載の基地局。
【請求項１８】
前記第２制御情報送信手段は、前記ユーザグループ内の各ユーザ個別の制御情報に対して巡回冗長検査を行う際に、各制御情報に対し入れ子状に巡回冗長検査を適用する方式または各制御情報に対し独立に巡回冗長検査を適用する方式を用いる、請求項１５に記載の基地局。
【請求項１９】
前記第２制御情報送信手段は、さらに、前記ユーザグループ内の各ユーザのユーザ識別子を利用して、巡回冗長検査により生成された巡回冗長検査コードをスクランブリングする、請求項１５に記載の基地局。
【請求項２０】
ユーザ端末であって、
自局の属するユーザグループのグループ識別子に対応する検索空間からデマッピングして、候補第１制御情報を得、前記候補第１制御情報に対してブラインド検出を行って、基地局から送信された第１制御情報を得、自局の属するユーザグループ内の全ユーザに共通な制御情報と、自局の属するユーザグループに対応するリンク適応方法とを決定する第１制御情報受信手段と、
自局の属するユーザグループのグループ識別子に対応する検索空間からデマッピングして、候補第２制御情報を得、自局の属するユーザグループ内の全ユーザに共通な制御情報と、自局の属するユーザグループに対応するリンク適応方法とに基づいて、前記候補第２制御情報に対してブラインド検出を行って、自局個別の制御情報、または、自局個別およびほかのユーザ個別の制御情報を得る第２制御情報受信手段と、を含むことを特徴とするユーザ端末。
【請求項２１】
前記第２制御情報受信手段は、まず、自局の属するユーザグループ内の全ユーザに共通な制御情報に基づいて、前記候補第２制御情報を復調し、その後、自局の属するユーザグループに対応するリンク適応方法に基づいて、復調されたデータに対してレートデマッチング、チャネル復号および巡回冗長検査を行う、請求項２０に記載のユーザ端末。
【請求項２２】
基地局が各制御情報に対し入れ子状に巡回冗長検査を適用する方式を用いて、前記ユーザグループ内の各ユーザ個別の制御情報に対して巡回冗長検査を行う場合、前記第２制御情報受信手段は、巡回冗長検査の内から外への順で巡回冗長検査を行い、巡回冗長検査の結果が正しいとき、ユーザは、復号を停止して、この巡回冗長検査までのすべての各ユーザ個別の制御情報を出力し、巡回冗長検査の結果が正しくないとき、ユーザは、次の巡回冗長検査まで復号を続け、巡回冗長検査がいずれも正しくないとき、ユーザは、自局がスケジューリングされていないと決定し、または、
基地局が各制御情報に対し独立に巡回冗長検査を適用する方式を用いて、前記ユーザグループ内の各ユーザ個別の制御情報に対して巡回冗長検査を行う場合、前記第２制御情報受信手段は、各ユーザ個別の制御情報に対して独立に巡回冗長検査を行い、巡回冗長検査の結果が正しいものがあるとき、相応のユーザ個別の制御情報を取得し、巡回冗長検査の結果が正しいものがないとき、ユーザは、自局がスケジューリングされていないと決定する、請求項２０に記載のユーザ端末。
【発明の詳細な説明】
【技術分野】
【０００１】
本発明は移動通信技術分野に関し、特に、無線通信システムにおける制御情報の伝送方法および装置に関する。
【背景技術】
【０００２】
無線通信システムでは、複数のユーザは、非直交方式で同じ伝送リソースを多重することができる。説明の便宜上、非直交方式で同じ伝送リソースを多重する複数のユーザを、同一のユーザグループ内のユーザと呼ぶ。現在、無線通信システムでは、ユーザグループ内の異なるユーザに対して、異なる電力割当係数を割り当てることにより、各ユーザを区別することができる。また、ユーザグループ内のユーザは、干渉除去処理により自局のデータを受信することができる。干渉除去を実現するために、ユーザは、自局の制御情報、即ちＣｏｎｔｒｏｌ  Ｉｎｆｏｒｍａｔｉｏｎ（例えば、データ伝送を協力するリソース割当情報、チャネル符号化のビットレート、および変調符号化方式情報などのシグナリングや情報）のほかに、その上級ユーザ（即ち、干渉除去処理がなされる必要があるユーザ）の制御情報を知る必要もある。そのため、無線通信システムにおいてユーザの制御情報を如何に伝送するかということは、現在の無線通信システムが解決すべき課題の１つである。
【発明の概要】
【発明が解決しようとする課題】
【０００３】
上記の課題を解決するために、本発明の実施例は、無線通信システムにおける制御情報の送受信方法および装置を提出している。
【課題を解決するための手段】
【０００４】
本発明の実施例で提供される無線通信システムにおける制御情報の送信方法は、予め各ユーザグループに対して、それぞれ１つのグループ識別子を割り当て、各グループ識別子に対応する検索空間をそれぞれ決定し、ユーザグループ内の各ユーザのチャネル品質に基づいて、前記ユーザグループのリンク適応方法を決定し、前記ユーザグループ内の全ユーザに共通な制御情報と、前記ユーザグループに対応するリンク適応方法とに基づいて、第１制御情報の内容を生成し、前記第１制御情報の内容に対して巡回冗長検査を行って、第１制御情報を生成してから、該ユーザグループ内の各ユーザに送信し、前記ユーザグループ内の各ユーザ個別の制御情報に対して巡回冗長検査を行って、第２制御情報の内容を得、前記ユーザグループに対応するリンク適応方法に基づいて、前記第２制御情報の内容に対してリンク適応処理を行って、第２制御情報を生成して、該ユーザグループ内の各ユーザに送信する、ことを含む。
【０００５】
ここで、ユーザグループ内の各ユーザのチャネル品質に基づいて、前記ユーザグループのリンク適応方法を決定することは、ユーザグループ内の各ユーザのチャネル品質に基づいて、各ユーザに対応する制御情報のリンク適応処理時に導入するビットレートをそれぞれ決定し、決定された各ユーザに対応する制御情報のリンク適応処理時に導入するビットレートに基づいて、適当なパラメータを選択して、前記ユーザグループに対応するリンク適応方法パラメータとする、ことを含む。
【０００６】
リンク適応方法は、レートマッチングのビットレートを調整することを含み、前記リンク適応処理は、レートマッチング処理を含み、前記リンク適応方法パラメータは、レートマッチングパラメータを含む。または、リンク適応方法は、チャネル符号化のビットレートを調整することを含み、前記リンク適応処理は、チャネル符号化処理を含み、前記リンク適応方法パラメータは、チャネル符号化のビットレートパラメータを含む。
【０００７】
上記の共通な制御情報は、少なくとも、リソース割当情報と、データ伝送の多重次数情報、を含む。
【０００８】
上記の第１制御情報の内容は、統合指示方式または独立指示方式を採用する。第１制御情報は、少なくとも、リソース割当フィールドと、多重次数フィールドと、リンク適応方法フィールドと、を含み、ここで、リソース割当フィールドは、単独のビットでリソース割当情報を表し、多重次数フィールドは、単独のビットでデータ伝送の多重次数情報を表し、リンク適応方法フィールドは、単独のビットでユーザグループのリンク適応方法情報を表す。第１制御情報は、少なくとも、１つのデータフィールドを含み、前記データフィールドのビットは、リソース割当情報、データ伝送の多重次数情報、およびユーザグループのリンク適応方法情報のうちの少なくとも２種を同時に表す。
【０００９】
上記の方法は、上記の第１制御情報の内容に対して巡回冗長検査を行った後に、前記ユーザグループのグループ識別子を利用して、巡回冗長検査により生成された巡回冗長検査コードをスクランブリングする、ことをさらに含む。
【００１０】
上記のユーザ個別の制御情報は、ユーザのデータ伝送に関する情報である。
【００１１】
前記ユーザグループ内の各ユーザ個別の制御情報に対して巡回冗長検査を行うことは、各制御情報に対し入れ子状に巡回冗長検査を適用する方式または各制御情報に対し独立に巡回冗長検査を適用する方式を用いて、前記ユーザグループ内の各ユーザ個別の制御情報に対して巡回冗長検査を行う、ことを含む。
【００１２】
上記の方法は、前記ユーザグループ内の各ユーザのユーザ識別子を利用して、巡回冗長検査により生成された巡回冗長検査コードをスクランブリングする、ことをさらに含む。
【００１３】
本発明の実施例で提供される無線通信システムにおける制御情報の受信方法は、自局の属するユーザグループのグループ識別子に対応する検索空間からデマッピングして、候補第１制御情報を得、前記候補第１制御情報に対してブラインド検出を行って、基地局から送信された第１制御情報を得、自局の属するユーザグループ内の全ユーザに共通な制御情報と、自局の属するユーザグループに対応するリンク適応方法とを決定し、自局の属するユーザグループのグループ識別子に対応する検索空間からデマッピングして、候補第２制御情報を得、自局の属するユーザグループ内の全ユーザに共通な制御情報と、自局の属するユーザグループに対応するリンク適応方法とに基づいて、前記候補第２制御情報に対してブラインド検出を行って、自局個別の制御情報、または、自局個別およびほかのユーザ個別の制御情報を得る、ことを含む。
【００１４】
ここで、前記自局の属するユーザグループ内の全ユーザに共通な制御情報と、自局の属するユーザグループに対応するリンク適応方法とに基づいて、前記候補第２制御情報に対してブラインド検出を行うことは、自局の属するユーザグループ内の全ユーザに共通な制御情報に基づいて、前記候補第２制御情報を復調し、自局の属するユーザグループに対応するリンク適応方法に基づいて、復調されたデータに対してレートデマッチング、チャネル復号および巡回冗長検査を行う、ことを含む。
【００１５】
基地局が各制御情報に対し入れ子状に巡回冗長検査を適用する方式を用いて、前記ユーザグループ内の各ユーザ個別の制御情報に対して巡回冗長検査を行う場合、ユーザは巡回冗長検査の内から外への順で巡回冗長検査を行い、巡回冗長検査の結果が正しいとき、ユーザは、復号を停止して、この巡回冗長検査までのすべての各ユーザ個別の制御情報を出力し、巡回冗長検査の結果が正しくないとき、ユーザは、次の巡回冗長検査まで復号を続け、巡回冗長検査がいずれも正しくないとき、ユーザは、自局がスケジューリングされていないと決定する。
【００１６】
基地局が各制御情報に対し独立に巡回冗長検査を適用する方式を用いて、前記ユーザグループ内の各ユーザ個別の制御情報に対して巡回冗長検査を行う場合、ユーザは、各ユーザ個別の制御情報に対して独立に巡回冗長検査を行い、巡回冗長検査の結果が正しいものがあるとき、相応のユーザ個別の制御情報を取得し、巡回冗長検査の結果が正しいものがないとき、ユーザは、自局がスケジューリングされていないと決定する。
【００１７】
本発明の実施例で提供される基地局は、予め各ユーザグループに対して、それぞれ１つのグループ識別子を割り当て、各グループ識別子に対応する検索空間をそれぞれ決定する配置手段と、ユーザグループ内の各ユーザのチャネル品質に基づいて、前記ユーザグループのリンク適応方法を決定するリンク適応方法決定手段と、前記ユーザグループ内の全ユーザに共通な制御情報と、前記ユーザグループに対応するリンク適応方法とに基づいて、第１制御情報の内容を生成し、前記第１制御情報の内容に対して巡回冗長検査を行って、第１制御情報を生成してから、該ユーザグループ内の各ユーザに送信する第１制御情報送信手段と、前記ユーザグループ内の各ユーザ個別の制御情報に対して巡回冗長検査を行って、第２制御情報の内容を得、前記ユーザグループに対応するリンク適応方法に基づいて、前記第２制御情報の内容に対してリンク適応処理を行って、第２制御情報を生成して、該ユーザグループ内の各ユーザに送信する第２制御情報送信手段と、を含む。
【００１８】
ここで、リンク適応方法決定手段は、ユーザグループ内の各ユーザのチャネル品質に基づいて、各ユーザに対応する制御情報のリンク適応処理時に導入するビットレートをそれぞれ決定する第１モジュールと、決定された各ユーザに対応する制御情報のリンク適応処理時に導入するビットレートに基づいて、適当なパラメータを選択して、前記ユーザグループに対応するリンク適応方法パラメータとする第２モジュールと、を含む。
【００１９】
第１制御情報送信手段は、前記第１制御情報の内容に対して巡回冗長検査を行った後に、さらに、前記ユーザグループのグループ識別子を利用して、巡回冗長検査により生成された巡回冗長検査コードをスクランブリングする。
【００２０】
第２制御情報送信手段は、前記ユーザグループ内の各ユーザ個別の制御情報に対して巡回冗長検査を行う際に、各制御情報に対し入れ子状に巡回冗長検査を適用する方式または各制御情報に対し独立に巡回冗長検査を適用する方式を用いる。
【００２１】
第２制御情報送信手段は、さらに、前記ユーザグループ内の各ユーザのユーザ識別子を利用して、巡回冗長検査により生成された巡回冗長検査コードをスクランブリングする。
【００２２】
本発明の実施例で提供されるユーザ端末は、自局の属するユーザグループのグループ識別子に対応する検索空間からデマッピングして、候補第１制御情報を得、前記候補第１制御情報に対してブラインド検出を行って、基地局から送信された第１制御情報を得、自局の属するユーザグループ内の全ユーザに共通な制御情報と、自局の属するユーザグループに対応するリンク適応方法とを決定する第１制御情報受信手段と、自局の属するユーザグループのグループ識別子に対応する検索空間からデマッピングして、候補第２制御情報を得、自局の属するユーザグループ内の全ユーザに共通な制御情報と、自局の属するユーザグループに対応するリンク適応方法とに基づいて、前記候補第２制御情報に対してブラインド検出を行って、自局個別の制御情報、または、自局個別およびほかのユーザ個別の制御情報を得る第２制御情報受信手段と、を含む。
【００２３】
ここで、第２制御情報受信手段は、まず、自局の属するユーザグループ内の全ユーザに共通な制御情報に基づいて、前記候補第２制御情報を復調し、その後、自局の属するユーザグループに対応するリンク適応方法に基づいて、復調されたデータに対してレートデマッチング、チャネル復号および巡回冗長検査を行う。
【００２４】
基地局が各制御情報に対し入れ子状に巡回冗長検査を適用する方式を用いて、前記ユーザグループ内の各ユーザ個別の制御情報に対して巡回冗長検査を行う場合、前記第２制御情報受信手段は、巡回冗長検査の内から外への順で巡回冗長検査を行い、巡回冗長検査の結果が正しいとき、ユーザは、復号を停止して、この巡回冗長検査までのすべての各ユーザ個別の制御情報を出力し、巡回冗長検査の結果が正しくないとき、ユーザは、次の巡回冗長検査まで復号を続け、巡回冗長検査がいずれも正しくないとき、ユーザは、自局がスケジューリングされていないと決定し、または、基地局が各制御情報に対し独立に巡回冗長検査を適用する方式を用いて、前記ユーザグループ内の各ユーザ個別の制御情報に対して巡回冗長検査を行う場合、前記第２制御情報受信手段は、各ユーザ個別の制御情報に対して独立に巡回冗長検査を行い、巡回冗長検査の結果が正しいものがあるとき、相応のユーザ個別の制御情報を取得し、巡回冗長検査の結果が正しいものがないとき、ユーザは、自局がスケジューリングされていないと決定する。
【発明の効果】
【００２５】
上記の制御情報の送受信方法、基地局、およびユーザ端末により、基地局は、送信対象の制御情報を２つの制御情報により送信するため、ユーザのブラインド検出の複雑さを大幅に低減させることができる。一方、第２制御情報に対してリンク適応処理を行うとき、各ユーザのチャネル品質によって、異なるリンク適応処理を採用するため、つまり、チャネル品質の異なるユーザに対して、異なる数の冗長情報を導入するため、第２制御情報がエッジユーザに正確に受信されることを確保するとともに、シグナリングオーバーヘッドを大幅に低減させることができる。
【００２６】
また、既存のプロトコルに従い、基地局が、ページング情報、システム情報、電力制御情報などのような共通な制御情報も送信する場合、基地局は、共用検索空間で追加の制御情報を送信しようとする。
【図面の簡単な説明】
【００２７】
【図１】本発明の実施例に係る無線通信システムにおける制御情報の送信方法を示す図である。
【図２】本発明の実施例に係る無線通信システムにおける制御情報の受信方法を示す図である。
【図３】第１制御情報の例を示す図である。
【図４】第２制御情報の例を示す図である。
【図５】第２制御情報の別の例を示す図である。
【図６】本実施例において基地局が第２制御情報を処理する過程を示す図である。
【図７】レートマッチングによりあるリンク適応方法を実現する例を示す図である。
【図８】レートマッチングによりあるリンク適応方法を実現する別の例を示す図である。
【図９】本発明の実施例に係る基地局の内部構成を示す図である。
【図１０】本発明の実施例に係るユーザ端末の内部構成を示す図である。
【図１１】チャネル符号化によりあるリンク適応方法を実現する例を示す図である。
【発明を実施するための形態】
【００２８】
無線通信システムにおいて制御情報を如何に伝送するかという課題を解決するために、本発明の実施例は、まず、無線通信システムにおける制御情報の送信方法を開示している。図１は、本発明の実施例に係る無線通信システムにおける基地局ｅＮｏｄｅＢが制御情報を送信する方法を示す。図１に示すように、この方法は、主に、以下のようなステップを含む。
【００２９】
ステップ１０１で、予め各ユーザグループに対して、それぞれ１つのグループ識別子（ＧｒｏｕｐＩＤ）を割り当て、各グループ識別子に対応する検索空間をそれぞれ決定する。
【００３０】
ユーザを如何に異なるユーザグループに分けるかということについて、基地局は、セル内のユーザ数およびユーザのチャネル品質により行うことができる。例えば、セル内のユーザ数が比較的少ない場合、基地局は、１つのユーザグループのみを設定して、セル内の全てのユーザがいずれもこのユーザグループに属するようにしてよい。セル内のユーザが比較的多い場合、基地局は、複数のユーザグループを設定して、各ユーザグループに１つまたは複数のユーザが含まれるようにしてよい。ユーザを異なるユーザグループに分けるとき、ユーザのチャネル品質により行うことができる。通常、より大きな性能利得を得るように、チャネル品質の違いが比較的大きいユーザを１つのグループに分ける。
【００３１】
拡張された物理層下り制御チャネル（ｅＰＤＣＣＨ）の場合について、上位レイヤシグナリングによってユーザグループ内の各ユーザの検索空間を同じまたは一部重なるように配置することにより、制御情報を同じまたは重なる検索空間に伝送することができる。本実施例において、上記ユーザグループ内の各ユーザの同じ検索空間または各ユーザの検索空間のうち重なる部分が、該ユーザグループの検索空間と呼ばれ、即ち、該ユーザグループのグループ識別子に対応する検索空間である。
【００３２】
ステップ１０２で、ユーザグループ内の各ユーザのチャネル品質に基づいて、該ユーザグループのリンク適応方法を決定する。
【００３３】
本ステップにおいて、ｅＮｏｄｅＢは、まず、ユーザグループ内の各ユーザのチャネル品質に基づいて、どのユーザがスケジューリングされるかを決定してから、スケジューリングされた各ユーザ個別の制御情報のリンク適応処理時に導入するビットレートをそれぞれ決定し、その後、決定された、スケジューリングされた各ユーザ個別の制御情報のリンク適応処理時に導入するビットレートに基づいて、適当なパラメータを選択して、該ユーザグループに対応するリンク適応方法パラメータとする。具体的に、上記のリンク適応方法は、レートマッチングのビットレートを調整すること、チャネル符号化のビットレートを調整することなどを含む。上記のリンク適応処理は、レートマッチング処理、チャネル符号化処理などを含む。相応的に、上記のリンク適応処理パラメータは、レートマッチングパラメータ、チャネル符号化のビットレートパラメータなどを含む。
【００３４】
本実施例において、ユーザグループのリンク適応方法パラメータは、後続の処理で該ユーザグループ内のスケジューリングされた各ユーザ個別の制御情報のリンク適応処理時に導入するビットレートを規定する。具体的に、上記のリンク適応方法パラメータは、ビットレート集合ａ＝｛ａｉ｝、ｉ＝１…Ｍ、０＜ａｉ≦１であってよく、ここで、Ｍは、該ユーザグループ内のスケジューリングされたユーザの数（該ユーザグループに含まれるユーザの数以下である）、即ち、データ伝送の多重次数である。ａｉは、該ユーザグループ内のｉ番目のスケジューリングされたユーザ個別の制御情報のリンク適応処理時に導入するビットレートを表し、リンク適応処理により導入される冗長情報の多少を表すことができ、通常、ビットレートが低い場合、冗長情報が多いことを表し、ビットレートが高い場合、冗長情報が少ないことを表す。例えば、スケジューリングされたユーザのチャネル品質が比較的よい場合、該ユーザ個別の制御情報のリンク適応処理時に導入するビットレートは比較的大きくてよく、即ち、導入される冗長情報が比較的少ない。これにより、シグナリングのオーバーヘッドを低減させることができる。一方、スケジューリングされたユーザのチャネル品質が比較的悪い場合、該ユーザ個別の制御情報のリンク適応処理時に導入するビットレートは比較的小さくてよく、即ち、導入される冗長情報が比較的多い。これにより、制御情報の正確な受信を確保することができる。
【００３５】
説明すべきところとして、上記のチャネル品質は、信号対雑音比、信号対干渉雑音比、またはチャネル利得などのパラメータにより表すことができる。ここで、当業者は、信号対雑音比、信号対干渉雑音比、またはチャネル利得が大きいほど、チャネル品質がよいことを表し、逆に、信号対雑音比、信号対干渉雑音比、またはチャネル利得が小さいほど、チャネル品質が悪いことを表す、ということを理解することができる。
【００３６】
ステップ１０３で、該ユーザグループ内の全ユーザに共通な制御情報と、該ユーザグループに対応するリンク適応方法とに基づいて、第１制御情報の内容を生成する。
【００３７】
上記ユーザグループ内の全ユーザに共通な制御情報は、具体的に、該ユーザグループ内の全てのスケジューリングされたユーザに共通な制御情報を指す。
【００３８】
本ステップで、該ユーザグループ内のスケジューリングされた各ユーザに共通な制御情報と、該ユーザグループに対応するリンク適応方法とに基づいて、第１制御情報の内容を生成することは、該ユーザグループ内のスケジューリングされた各ユーザに共通な制御情報と該ユーザグループに対応するリンク適応方法とを第１制御情報の全部または一部の内容とする、ことを含むようにしてよい。
【００３９】
ここで、前記ユーザグループ内の全ユーザに共通な制御情報は、ユーザグループ内のスケジューリングされた各ユーザに対応する制御情報のうちの共通な部分であり、少なくとも、リソース割当情報（ＲＡ）と、データ伝送の多重次数情報（Ｍ）とを含む。説明の便宜上、以下では、共通な制御情報と略称する。
【００４０】
説明すべきところとして、本実施形態で、上記の第１制御情報の内容は、統合指示方式を採用してよく、独立指示方式を採用してもよい。独立指示方式について、第１制御情報は複数のデータフィールドを含み、ここで、各データフィールドは、単独のビットを用いてその意味を表し、即ち、第１制御情報は、少なくとも、リソース割当フィールド、多重次数フィールド、およびリンク適応方法フィールドを含むようにしてよく、ここで、リソース割当フィールドは、単独のビットでリソース割当情報を表し、多重次数フィールドは、単独のビットでデータ伝送の多重次数情報を表し、リンク適応方法フィールドは、単独のビットでユーザグループのリンク適応方法情報を表す。一方、統合指示方式について、第１制御情報は、１つのデータフィールドのみを含むようにしてよく、前記データフィールドのビットは、リソース割当情報、データ伝送の多重次数情報、およびユーザグループのリンク適応方法情報のうちの少なくとも２種を同時に表す。もちろん、実際の応用で、上記２つの符号化方式を組み合わせるようにしてよく、即ち、一部の情報（例えばリソース割当情報）は独立指示方式を採用する一方、ほかの情報（例えばリンク適応方法およびデータ伝送の多重次数情報）は統合指示方式を採用する。
【００４１】
また、説明すべきところとして、ｅＮｏｄｅＢはリンク適応方法情報を直接に送信する方式以外に、予めｅＮｏｄｅＢとユーザ側に各種の多重次数での全ての可能なリンク適応方法を記憶して、各種の多重次数での各リンク適応方法に対して、インデックスを割り当てるようにしてもよい。この場合で、ｅＮｏｄｅＢは、第１制御情報にリソース割当情報（ＲＡ）と、データ伝送の多重次数情報（Ｍ）と、リンク適応方法（ＬＡ）のインデックスとを付けるだけで、ユーザは、データ伝送の多重次数情報（Ｍ）と、リンク適応方法のインデックスとに基づいて、自局の属するユーザグループのリンク適応方法を決定することができる。
【００４２】
ステップ１０４で、上記の第１制御情報の内容に対して巡回冗長検査を行って、第１制御情報を生成してから、該ユーザグループ内の各ユーザに送信する。
【００４３】
本ステップで、ｅＮｏｄｅＢは、さらに、該ユーザグループのグループ識別子（ＧｒｏｕｐＩＤ）を利用して、巡回冗長検査により生成された巡回冗長検査コードをスクランブリングするようにしてよい。
【００４４】
説明すべきところとして、本ステップに係る該ユーザグループ内の各ユーザに送信することは、具体的に、以下のようなステップを含むようにしてよく、即ち、ｅＮｏｄｅＢは、巡回冗長検査された情報に対してチャネル符号化、レートマッチングおよび変調を行ってから、制御チャネルユニット（ＣＣＥ）と該ユーザグループのグループ識別子に対応する検索空間とへのマッピングを完成する。本ステップに係るレートマッチングで、リソース割当情報（ＲＡ）と、データ伝送の多重次数情報（Ｍ）と、リンク適応方法（ＬＡ）またはそのインデックスとに対して、同じビットレートを用いてリンク適応を行うようにしてよい。説明すべきところとして、上記のチャネル符号化、レートマッチング、変調および制御チャネルユニット（ＣＣＥ）と検索空間とへのマッピング処理について、従来の直交アクセスシステムにおける制御情報伝送過程中のチャネル符号化、レートマッチング、変調および制御チャネルユニット（ＣＣＥ）と検索空間とへのマッピング処理を参照するようにしてよい。
【００４５】
ステップ１０５で、該ユーザグループ内の各ユーザ個別の制御情報に対して巡回冗長検査を行って、第２制御情報の内容を得る。
【００４６】
本ステップで、巡回冗長検査されたデータを第２制御情報の全部または一部の内容とするようにしてよい。
【００４７】
ここで、前記各ユーザ個別の制御情報は、例えば、データ伝送で用いられるチャネル符号化のビットレート、変調符号化方式などのような、ユーザのデータ伝送に関する情報であり、以下および図面に、ｐＤＣＩ（ｐｒｉｖａｔｅ−ＤＣＩ）で表す。
【００４８】
具体的に、本ステップに係る該ユーザグループ内の各ユーザ個別の制御情報に対して巡回冗長検査を行うことは、各制御情報に対し入れ子状に巡回冗長検査を適用する方式（入れ子の巡回冗長検査方式と略称する）または各制御情報に対して独立に巡回冗長検査を適用する方式（独立の巡回冗長検査方式と略称する）を用いるようにしてよい。ここで、入れ子の巡回冗長検査方式は、複数のユーザの制御情報に対して入れ子の巡回冗長検査を行うことを表し、独立の巡回冗長検査方式は、それぞれに、各ユーザの制御情報に対して独立に巡回冗長検査を行うことを表す。また、本ステップで、ｅＮｏｄｅＢは、さらに、該ユーザグループ内のスケジューリングされた各ユーザのユーザ識別子を利用して、巡回冗長検査により生成された巡回冗長検査コードをスクランブリングするようにしてもよい。
【００４９】
ステップ１０６で、該ユーザグループに対応するリンク適応方法に基づいて、上記の第２制御情報の内容に対してリンク適応処理を行って、第２制御情報を生成して、該ユーザグループ内の各ユーザに送信する。
【００５０】
該ユーザグループに対応するリンク適応方法は、後続の処理で該ユーザグループ内の各ユーザ個別の制御情報のリンク適応処理時に導入するビットレート（以下、各ユーザに対応するビットレートと略称する）を規定するため、本ステップにおけるリンク適応処理過程中に、ｅＮｏｄｅＢは、直接に各ユーザに対応するビットレートに基づいて、上記の第２制御情報の内容における各ユーザ個別の制御情報と巡回冗長検査コードとに対してリンク適応処理を行い、即ち、ビットレートが低いほど、導入される冗長が多くなり、ビットレートが高いほど、導入される冗長が少なくなる。リンク適応方法は、レートマッチングのビットレートを調整すること、チャネル符号化のビットレートを調整することなどを含む。
【００５１】
また、本ステップに係る該ユーザグループ内の各ユーザに送信することは、以下のようなステップを含むようにしてよく、即ち、ｅＮｏｄｅＢは、リンク適応処理されたデータを変調し、その後、制御チャネルユニット（ＣＣＥ）と該ユーザグループのグループ識別子に対応する検索空間とへのマッピングを完成する。
【００５２】
説明すべきところとして、上記の変調、および制御チャネルユニット（ＣＣＥ）と検索空間とへのマッピング処理について、従来の無線通信システムにおける制御情報伝送過程中の変調、および制御チャネルユニット（ＣＣＥ）と検索空間とへのマッピング処理を参照するようにしてよい。
【００５３】
ここまで、ｅＮｏｄｅＢは、制御情報の送信の全体を完成する。
【００５４】
図２は、無線通信システムにおける制御情報の受信方法を示す。図２に示すように、該ユーザグループ内の各ユーザは、以下のようなステップをそれぞれ実行する。
【００５５】
ステップ２０１で、自局の属するユーザグループのグループ識別子に対応する検索空間からデマッピングして、候補第１制御情報を得る。
【００５６】
ステップ２０２で、上記の候補第１制御情報に対してブラインド検出を行い、ｅＮｏｄｅＢから送信された第１制御情報を得、自局の属するユーザグループ内の全ユーザに共通な制御情報と、自局の属するユーザグループに対応するリンク適応方法（ＬＡ）とを決定する。
【００５７】
上記のように、決定された共通な制御情報により、ユーザは、データ伝送のリソース割当情報（ＲＡ）とデータ伝送のユーザ多重次数情報（Ｍ）とを得ることができる。また、第２制御情報に対してブラインド検出を行うように、データ伝送のユーザ多重次数情報（Ｍ）に基づいて、ユーザは、第２制御情報の可能な大きさを推定することができる。
【００５８】
また、決定された自局の属するユーザグループに対応するリンク適応方法（ＬＡ）により、ユーザは、第２制御情報に対して受信処理を如何に行うかということを知ることができる。
【００５９】
本ステップに係るブラインド検出は、ｅＮｏｄｅＢの処理に対応する復調、レートデマッチング、チャネル復号および巡回冗長検査などのステップを含む。説明すべきところとして、上記の復調、レートデマッチング、チャネル復号および巡回冗長検査処理について、従来の直交アクセスシステムにおける制御情報伝送過程中の復調、レートデマッチング、チャネル復号および巡回冗長検査を参照するようにしてよい。ｅＮｏｄｅＢが、該ユーザグループのグループ識別子（ＧＩＤ：ＧｒｏｕｐＩＤ）を利用して、巡回冗長検査により生成された巡回冗長検査コードをスクランブリングした場合、本ステップで、ユーザは、該ユーザグループのグループ識別子を利用して、第１制御情報に付けられている巡回冗長検査コードをデスクランブリングする必要もある。
【００６０】
ステップ２０３で、自局の属するユーザグループのグループ識別子に対応する検索空間からデマッピングして、候補第２制御情報を得る。
【００６１】
ステップ２０４で、自局の属するユーザグループ内の全ユーザに共通な制御情報と、自局の属するユーザグループに対応するリンク適応方法とに基づいて、上記の候補第２制御情報に対してブラインド検出を行い、自局個別の制御情報、または、自局個別およびほかのユーザ個別の制御情報を得る。
【００６２】
本ステップに係るブラインド検出は、ｅＮｏｄｅＢの処理に対応する復調、レートデマッチング、チャネル復号および巡回冗長検査などのステップを含む。リンク適応は、レートマッチングパラメータを調整することにより、異なるユーザが異なるビットレートを持つことを実現した場合には、ユーザは、自局の属するユーザグループに対応するレートマッチングパラメータに従い、レートデマッチングを行う必要がある。具体的に、ユーザは、レートマッチングパラメータに基づいて、レートマッチングにより導入される冗長情報に対して関連合成を行うことにより、合成利得を取得する。合成方法は、例えば最大比合成、等利得合成などのような従来の方法であってよい。異なるユーザが導入する冗長情報の多少は違うため、異なるユーザがレートデマッチングで得られた合成利得の大きさも異なる。ユーザの冗長が多いほど、得られた合成利得が大きくなり、ユーザの冗長が少ないほど、得られた合成利得が少なくなる。
【００６３】
レートデマッチングして合成された結果は、チャネル復号の入力に用いられる。リンク適応は、チャネル符号化パラメータを調整することにより、異なるユーザが異なるビットレートを持つことを実現した場合には、ユーザは、自局の属するユーザグループに対応するチャネル符号化パラメータに従い、チャネル復号を行う必要がある。具体的に、ユーザは、復調された信号に対してレートデマッチングを行ってから、チャネル符号化パラメータに基づいて、レートデマッチングされた信号に対してチャネル復号を行うことにより、チャネル符号化利得を取得する。チャネル復号方法は、例えば、ビタビ復号アルゴリズムなどのような従来の方法であってよい。異なるユーザが導入する冗長情報の多少は違うため、異なるユーザがチャネル復号で得られたチャネル符号化利得の大きさも異なる。ユーザの冗長が多いほど、得られたチャネル符号化利得が大きくなり、ユーザの冗長が少ないほど、得られたチャネル符号化利得が少なくなる。
【００６４】
また、リンク適応は、レートマッチングパラメータとチャネル符号化パラメータとを同時に調整することにより、異なるユーザが異なるビットレートを持つことを実現するようにしてよい。この場合で、ユーザは、自局の属するユーザグループに対応するレートマッチングパラメータとチャネル符号化パラメータとに従い、レートデマッチングおよびチャネル復号を行う必要がある。
【００６５】
上記のように、ｅＮｏｄｅＢは、各制御情報に対し入れ子状に巡回冗長検査を適用する方式（入れ子の巡回冗長検査方式と略称する）または各制御情報に対し独立に巡回冗長検査を適用する方式（独立の巡回冗長検査方式）を用いるようにしてよい。異なる巡回冗長検査方式について、チャネル復号の処理も異なる。
【００６６】
入れ子の巡回冗長検査について、ユーザは、巡回冗長検査の内から外への順でチャネル復号を行い、例えば、ビタビ復号アルゴリズムを採用して、巡回冗長検査の内から外への順で順次に巡回冗長検査コードを算出し、即ち、ＣＲＣ１、ＣＲＣ２、…、ＣＲＣＭである。チャネル復号の過程中に、ある巡回冗長検査の結果が正しいとき、ユーザは、復号を停止して、この巡回冗長検査までのすべての各ユーザ個別の制御情報を出力する。巡回冗長検査の結果が正しくないとき、ユーザは、次の巡回冗長検査まで復号を続ける。チャネル復号の過程中に、巡回冗長検査がいずれも正しくないとき、ユーザは、自局がスケジューリングされていないと見なす。ｅＮｏｄｅＢが、該ユーザグループ内の各ユーザの識別子を利用して、巡回冗長検査により生成された巡回冗長検査コードをスクランブリングした場合には、本ステップで、ユーザは、自局のユーザ識別子を利用して、第２制御情報に付けられている巡回冗長検査コードをデスクランブリングする必要がある。
【００６７】
独立の巡回冗長検査について、ユーザは、Ｍ個のユーザ個別の制御情報に対して、独立にチャネル復号および巡回冗長検査を行うようにしてよい。巡回冗長検査の結果が正しいものがあるとき、ユーザは、自局がスケジューリングされていると見なして、相応のユーザ個別の制御情報を取得する。巡回冗長検査が正しいものがないとき、ユーザは、自局がスケジューリングされていないと見なす。ｅＮｏｄｅＢが、該ユーザグループ内の各ユーザの識別子を利用して、巡回冗長検査により生成された巡回冗長検査コードをスクランブリングした場合には、本ステップで、ユーザは、該ユーザグループ内の各ユーザの識別子を利用して、第２制御情報に付けられている巡回冗長検査コードをデスクランブリングする必要もある。
【００６８】
説明すべきところとして、上記の復調処理について、従来の無線通信システムにおける制御情報伝送過程中の復調を参照するようにしてよい。
【００６９】
ここまで、ユーザ側は、制御情報の受信の全体を完成する。
【００７０】
以下、具体的な例示を介して、本発明に係る制御情報の送受信方法を詳しく説明する。
【００７１】
図３は、第１制御情報の例示である。図３に示すように、第１制御情報には、リソース割当情報（ＲＡ）と、データ伝送の多重次数情報（Ｍ）と、ユーザグループのリンク適応方法情報（ＬＡ）とが含まれている。同時に、上記の情報に対して巡回冗長検査を行った後に得られた巡回冗長検査コードをグループ識別子（ＧＩＤ）でスクランブリングする必要もある。
【００７２】
上記のように、上記の第１制御情報におけるリソース割当情報（ＲＡ）、データ伝送の多重次数情報（Ｍ）、およびユーザグループのリンク適応方法情報（ＬＡ）は、独立指示または統合指示の方式を採用するようにしてよい。
【００７３】
図４および図５は、第２制御情報の例示をそれぞれ示す。この２つの例示では、データ伝送の多重次数が３であることを仮定すると、第２制御情報には、３つのユーザ個別の制御情報が含まれている。ここで、各フィールドの意味は、下記の通りである。ｐＤＣＩｍは、ユーザｍ個別の制御情報であり、ＩＤｍは、ユーザｍの識別子であり、ＣＲＣｍは、ユーザｍに対応する巡回冗長検査コードである。ここで、第２制御情報に付けられているＣＲＣｍが、ＩＤｍでスクランブリングされるものである。
【００７４】
図４および図５は、巡回冗長検査コードを算出する、入れ子の巡回冗長検査と独立の巡回冗長検査との２種類の方式を示す。入れ子の巡回冗長検査について、図４に示すように、ＣＲＣｍは、その前の全ての情報ビットに対して算出を行って得られるものである。当業者は、このような入れ子の巡回冗長検査方式がよりよいパケット誤り率性能を得る、ということを理解することができる。独立の巡回冗長検査について、図５に示すように、ＣＲＣｍは、その前の制御情報ＤＣＩｍビットのみに対して算出を行って得られるものである。当業者は、このような独立の巡回冗長検査方式が並行処理を採用できるため、復号の遅延を低減させることができる、ということを理解することができる。
【００７５】
以下、入れ子の巡回冗長検査を例として、ｅＮｏｄｅＢが第２制御情報を処理する過程を詳しく説明する。
【００７６】
図６は、本実施例でｅＮｏｄｅＢが第２制御情報を処理する過程を示す。図６に示すように、まず、ステップ６０１で、ｅＮｏｄｅＢは、図５に示す入れ子の巡回冗長検査方式に従い、巡回冗長検査コードを算出して、該ユーザグループ内のユーザ個別の制御情報をカスケードする。ステップ６０２で、ｅＮｏｄｅＢは、該ユーザグループに対応するリンク適応方法に基づいて、カスケードされた制御情報に対してチャネル符号化およびインターリーブを行う。説明すべきところとして、上記のインターリーブ処理は、オプション処理であり、即ち、ｅＮｏｄｅＢは、チャネル符号化されたビットをインターリーブしなくてもよい。次に、ステップ６０３で、ｅＮｏｄｅＢは、該ユーザグループに対応するリンク適応方法に基づいて、チャネル符号化されたビットに対してレートマッチング処理を行う。ステップ６０２および６０３で、ｅＮｏｄｅＢは、ユーザのチャネル品質の状況によって、異なるユーザに対して異なる冗長を導入する必要がある。
【００７７】
以下、ｅＮｏｄｅＢは、レートマッチングパラメータを調整することにより、異なるユーザが異なる冗長を持つことを実現することを例として説明する。下記の表１および表２は、多重次数が２および３であり、全てのレートマッチング冗長からなる集合が｛１，１／２，１／３，１／４｝である場合における、全ての可能なレートマッチング方法をそれぞれ示す。レートマッチング冗長が１であると、レートマッチングで追加の冗長を導入しないことを表し、１／２であると、レートマッチングで２倍の冗長を導入することを表し、１／３であると、レートマッチングで３倍の冗長を導入することを表し、１／４であると、レートマッチングで４倍の冗長を導入することを表す。
【００７８】
表１および表２に示すように、異なるレートマッチング方法に対して異なるインデックスを割り当てることができる。ｅＮｏｄｅＢおよびユーザに表１および表２を予め記憶すると、ｅＮｏｄｅＢは、レートマッチングインデックスを通知することにより、ユーザが採用するリンク適応方法を指示することができる。表１および表２に示すように、レートマッチングインデックスの数を低減することにより、シグナリングのオーバーヘッドを低減させるように、表には、従来のシステムのリンク適応方法が含まれるようにしてよく、即ち、全てのユーザが同じ処理を採用し、かつ、同じ冗長を持っている。例えば、Ｍ＝２ときの｛１／４，１／４｝、｛１／３，１／３｝、｛１／２，１／２｝、｛１，１｝について、いずれも、インデックス１により実現することができる。レートマッチング処理を行った後に、ステップ６０４で、ｅＮｏｄｅＢは、レートマッチングされたビットを変調して、制御チャネルユニット（ＣＣＥ）と該ユーザグループのグループ識別子に対応する検索空間とにマッピングする。
【００７９】
【表１】
2014176091.tif 000003
【００８０】
【表２】
2014176091.tif 000004
【００８１】
以下、図面を参照しながら、レートマッチングの方法を詳しく説明する。図７および図８は、２つの例を挙げて、あるリンク適応方法を実現するように、如何にレートマッチングを行うかということを説明する。ここで、
2014176091.tif 000005
は、１番目のユーザＵＥ１個別の制御情報が巡回冗長検査してチャネル符号化されて得られたビットであり、
2014176091.tif 000006
は、２番目のユーザＵＥ２個別の制御情報が巡回冗長検査してチャネル符号化されて得られたビットであり、
2014176091.tif 000007
は、３番目のユーザＵＥ３個別の制御情報が巡回冗長検査してチャネル符号化されて得られたビットである。
【００８２】
図７に示すレートマッチング処理を採用すると、レートマッチングパラメータ｛１／３，１／２，１｝を実現することができ、即ち、レートマッチングで、ＵＥ１のビットレートは１／３であり、ＵＥ２のビットレートは１／２であり、ＵＥ３のビットレートは１であり、つまり、レートマッチングで、ＵＥ１のビットが３回重複され、ＵＥ２のビットが２回重複され、ＵＥ３のビットが１回重複される。
【００８３】
図８に示すレートマッチング処理を採用すると、レートマッチングパラメータ｛１／３，１／２，１／２｝を実現することができ、即ち、レートマッチングで、ＵＥ１のビットレートは１／３であり、ＵＥ２のビットレートは１／２であり、ＵＥ３のビットレートは１／２であり、つまり、レートマッチングで、ＵＥ１のビットが３回重複され、ＵＥ２のビットが２回重複され、ＵＥ３のビットも２回重複される。
【００８４】
上記のように、上記のレートマッチングのビットレートを調整する方法のほかに、リンク適応方法は、チャネル符号化のビットレートを調整することを指すようにしてもよい。この場合で、ｅＮｏｄｅＢは、チャネル符号化のビットレートを調整することにより、異なるユーザに対して異なる冗長を導入することを実現することができる。図１１は、チャネル符号化のビットレートを調整することにより、チャネル符号化のビットレートパラメータが｛１／３，１／２，１｝であることを実現する具体的な例を挙げる。図１１に示すように、ｅＮｏｄｅＢは、チャネル符号化を行う際に、ユーザ１に対して１／３というビットレートを採用し、ユーザ２に対して１／２というビットレートを採用し、ユーザ３に対して１というビットレートを採用することにより、ユーザ１、ユーザ２およびユーザ３に対して異なる冗長を導入することができる。また、ｅＮｏｄｅＢは、レートマッチングパラメータとチャネル符号化パラメータとを同時に調整することにより、異なるユーザに対して異なる冗長を導入することが実現することもでき、ここで、説明を省略する。
【００８５】
以下、もう１つの例を挙げて、ユーザによる制御情報に対する受信処理過程を詳しく説明する。
【００８６】
第１制御情報について、ユーザは、まず、自局の属するユーザグループのグループ識別子に対応する検索空間からデマッピングして、候補第１制御情報を得、その後、上記の候補第１制御情報に対してブラインド検出（復調、レートデマッチング、チャネル復号および巡回冗長検査）を行って、ｅＮｏｄｅＢから送信された第１制御情報の内容を得ることにより、自局の属するユーザグループ内の全ユーザに共通な制御情報と、自局の属するユーザグループに対応するリンク適応方法とを決定する。
【００８７】
第２制御情報について、ユーザは、まず、自局の属するユーザグループのグループ識別子に対応する検索空間からデマッピングして、候補第２制御情報を得、その後、自局の属するユーザグループ内の全ユーザに共通な制御情報と、自局の属するユーザグループに対応するリンク適応方法とに基づいて、上記の候補第２制御情報に対してブラインド検出を行って、自局個別の制御情報、または、自局個別およびほかのユーザ個別の制御情報を得る。説明すべきところとして、ユーザは、チャネル復号の過程中に、複数の巡回冗長検査の情報を算出する必要がある。
【００８８】
例えば、入れ子の巡回冗長検査について、ユーザは、巡回冗長検査の内から外への順で巡回冗長検査コードを算出し、即ち、ＣＲＣ１、ＣＲＣ２、…、ＣＲＣＭである。巡回冗長検査の結果が正しいとき、ユーザは、復号を停止して、この巡回冗長検査までのすべての各ユーザ個別の制御情報を出力する。巡回冗長検査の結果が正しくないとき、ユーザは、次の巡回冗長検査まで復号を続ける。巡回冗長検査がいずれも正しくないとき、ユーザは、自局がスケジューリングされていないと見なす。
【００８９】
独立の巡回冗長検査について、ユーザは、Ｍ個のユーザ個別の制御情報に対して独立に復号および巡回冗長検査を行う。巡回冗長検査の結果が正しいものがあるとき、ユーザは、自局がスケジューリングされていると見なして、相応のユーザ個別の制御情報を取得する。巡回冗長検査が正しいものがないとき、ユーザは、自局がスケジューリングされていないと見なす。
【００９０】
当業者は、本発明で提供される制御情報の伝送方法では、ｅＮｏｄｅＢが、送信対象の制御情報を２つの制御情報により送信するため、ユーザのブラインド検出の複雑さを大幅に低減させることができる、ということを理解することができる。また、第２制御情報に対してリンク適応処理を行うとき、各ユーザのチャネル品質によって、異なるビットレートを採用するため、つまり、チャネル品質の異なるユーザに対して、異なる数の冗長情報を導入するため、第２制御情報がエッジユーザに正確に受信されることを確保するとともに、シグナリングオーバーヘッドを大幅に低減させることができる、ということを理解することができる。
【００９１】
上記の制御情報の伝送方法に対応して、本発明の実施例は、上記の方法を実行する装置も提供している。該装置は、基地局ｅＮｏｄｅＢと、ユーザ端末とを含む。
【００９２】
図９に示すように、本発明の実施例で提供される基地局ｅＮｏｄｅＢの内部構成は、予め各ユーザグループに対して、それぞれ１つのグループ識別子を割り当て、各グループ識別子に対応する検索空間をそれぞれ決定する配置手段９０１と、ユーザグループ内の各ユーザのチャネル品質に基づいて、前記ユーザグループのリンク適応方法を決定するリンク適応方法決定手段９０２と、前記ユーザグループ内の全ユーザに共通な制御情報と、前記ユーザグループに対応するリンク適応方法とに基づいて、第１制御情報の内容を生成し、前記第１制御情報の内容に対して巡回冗長検査を行って、第１制御情報を生成してから、該ユーザグループ内の各ユーザに送信する第１制御情報送信手段９０３と、前記ユーザグループ内の各ユーザ個別の制御情報に対して巡回冗長検査を行って、第２制御情報の内容を得、前記ユーザグループに対応するリンク適応方法に基づいて、前記第２制御情報の内容に対してリンク適応処理を行って、第２制御情報を生成して、該ユーザグループ内の各ユーザに送信する第２制御情報送信手段９０４と、を含む。
【００９３】
ここで、リンク適応方法決定手段９０２は、ユーザグループ内の各ユーザのチャネル品質に基づいて、各ユーザに対応する制御情報のリンク適応処理時に導入するビットレートをそれぞれ決定する第１モジュールと、決定された各ユーザに対応する制御情報のリンク適応処理時に導入するビットレートに基づいて、適当なパラメータを選択して、前記ユーザグループに対応するリンク適応方法パラメータとする第２モジュールと、を含む。
【００９４】
また、第１制御情報送信手段９０３は、前記第１制御情報の内容に対して巡回冗長検査を行った後に、さらに、前記ユーザグループのグループ識別子を利用して、巡回冗長検査により生成された巡回冗長検査コードをスクランブリングする。
【００９５】
上記のように、第２制御情報送信手段９０４は、前記ユーザグループ内の各ユーザ個別の制御情報に対して巡回冗長検査を行う際に、各制御情報に対し入れ子状に巡回冗長検査を適用する方式または各制御情報に対し独立に巡回冗長検査を適用する方式を用いるようにしてよい。
【００９６】
第２制御情報送信手段９０４は、さらに、前記ユーザグループ内の各ユーザのユーザ識別子を利用して、巡回冗長検査により生成された巡回冗長検査コードをスクランブリングするようにしてよい。
【００９７】
図１０に示すように、本発明の実施例で提供されるユーザ端末の内部構成は、主に、自局の属するユーザグループのグループ識別子に対応する検索空間からデマッピングして、候補第１制御情報を得、前記候補第１制御情報に対してブラインド検出を行って、基地局から送信された第１制御情報を得、自局の属するユーザグループ内の全ユーザに共通な制御情報と、自局の属するユーザグループに対応するリンク適応方法とを決定する第１制御情報受信手段１００１と、自局の属するユーザグループのグループ識別子に対応する検索空間からデマッピングして、候補第２制御情報を得、自局の属するユーザグループ内の全ユーザに共通な制御情報と、自局の属するユーザグループに対応するリンク適応方法とに基づいて、前記候補第２制御情報に対してブラインド検出を行って、自局個別の制御情報、または、自局個別およびほかのユーザ個別の制御情報を得る第２制御情報受信手段１００２と、を含む。
【００９８】
ここで、上記の第２制御情報受信手段１００２は、まず、自局の属するユーザグループ内の全ユーザに共通な制御情報に基づいて、前記候補第２制御情報を復調し、その後、自局の属するユーザグループに対応するリンク適応方法に基づいて、復調されたデータに対してレートデマッチング、チャネル復号および巡回冗長検査を行う。
【００９９】
基地局ｅＮｏｄｅＢが各制御情報に対し入れ子状に巡回冗長検査を適用する方式を用いて、前記ユーザグループ内の各ユーザ個別の制御情報に対して巡回冗長検査を行う場合、前記第２制御情報受信手段１００２は、巡回冗長検査の内から外への順で巡回冗長検査を行い、巡回冗長検査の結果が正しいとき、ユーザは、復号を停止して、この巡回冗長検査までのすべての各ユーザ個別の制御情報を出力し、巡回冗長検査の結果が正しくないとき、ユーザは、次の巡回冗長検査まで復号を続け、巡回冗長検査がいずれも正しくないとき、ユーザは、自局がスケジューリングされていないと決定する。
【０１００】
基地局ｅＮｏｄｅＢが各制御情報に対し独立に巡回冗長検査を適用する方式を用いて、前記ユーザグループ内の各ユーザ個別の制御情報に対して巡回冗長検査を行う場合、前記第２制御情報受信手段１００２は、各ユーザ個別の制御情報に対して独立に巡回冗長検査を行い、巡回冗長検査の結果が正しいものがあるとき、相応のユーザ個別の制御情報を取得し、巡回冗長検査の結果が正しいものがないとき、ユーザは、自局がスケジューリングされていないと決定する。
【０１０１】
上記のように、本発明の実施例で提供される基地局ｅＮｏｄｅＢおよびユーザ端末により、ｅＮｏｄｅＢは、送信対象の制御情報を２つの制御情報により送信するため、ユーザのブラインド検出の複雑さを大幅に低減させることができる。一方、第２制御情報に対してリンク適応処理を行うとき、各ユーザのチャネル品質によって、異なるビットレートを採用するため、つまり、チャネル品質の異なるユーザに対して、異なる数の冗長情報を導入するため、第２制御情報がエッジユーザに正確に受信されることを確保するとともに、にシグナリングオーバーヘッドを大幅に低減させることができる。
【０１０２】
説明すべきところとして、上記の制御情報のほかに、上記の方法を採用して、例えば、システム情報、電力制御情報に用いられる制御情報などのようなほかの制御情報をユーザに伝送するようにしてもよい。
【０１０３】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2014176091.tif 000008
【図２】
2014176091.tif 000009
【図３】
2014176091.tif 000010
【図４】
2014176091.tif 000011
【図５】
2014176091.tif 000012
【図６】
2014176091.tif 000013
【図７】
2014176091.tif 000014
【図８】
2014176091.tif 000015
【図９】
2014176091.tif 000016
【図１０】
2014176091.tif 000017
【図１１】
2014176091.tif 000018